(57)【特許請求の範囲】
【請求項１】
周囲を導体で覆うことにより電磁シールドが施された電磁シールドルームへの空調ダクト取付け構造であって、
前記電磁シールドルームとその外部に設置された空気調和装置との間に空気の導通路となる複数の空調ダクトを取り付けて連通させ、
複数の前記空調ダクトが導体で、長さ１．５ｍ以上、直径１０ｃｍ以下に形成されると共に、各空調ダクトは、５０ｃｍ以上の取り付け間隔で配列されている
ことを特徴とする電磁シールドルームへの空調ダクト取付け構造。
【発明の詳細な説明】
【０００１】
【発明の属する技術分野】
本発明は電磁シールドルームへの空調ダクト取付け構造に関し、更に詳細には周囲を導体で覆うことにより電磁シールドが施された室内に、空調ダクトを取り付ける構造に関する。
【０００２】
【従来の技術】
コンピュータ等の電子機器から発生する電磁波の測定作業等は、作業の際に外部からの電磁波の影響を受けると作業精度が損なわれる。この作業精度の低下を防止するため、この種の測定作業は、例えば、シールドルーム又は電波暗室と称されている室（以下、電磁シールドルームという）で行われていた。
【０００３】
また、室内で強い電磁波を発生する装置の性能を測定する際には、この強い電磁波が室外へ漏れると、その室周囲で電磁障害を発生させるおそれがあり、電波法違反となる場合もあるため、このような作業も電磁シールドルームで行われている。
【０００４】
これらの電磁シールドルームは、室内での電磁波測定等を考慮し、周囲を金属等の導体で覆うか、或いは部屋の周囲を導体で覆った上に、さらに部屋の内壁に電磁波吸収材を取り付けて電磁波の反射を防止することにより電磁シールドを施して外部からの電磁波を遮蔽し、また室内から室外への電磁波の漏洩を防止し、この種の測定作業の精度向上を図っている。
【０００５】
従来、このような電磁シールドルームにおける空気調和は、室外に設置された空気調和装置即ち空調装置によりなされ、その際の空調ダクトの取付けは次の通りであった。すなわち、空調装置の空気吹出口と空気吸込口とにそれぞれ１本の断面矩形のダクトの一端を連結し、他端を電磁シールドルームの外壁に形成された吹出用開口と吸込用開口とに連結して電磁シールドルーム側の空気吹出口と空気吸込口とを形成し、これらの空気吹出口と空気吸込口とに電磁波の遮蔽機能を有する金網又は金属格子を設けて電磁シールドルームの電磁波遮蔽性の低下防止を図っていた。
【０００６】
また、必要に応じ、電磁シールドルームと空調装置との間に長いダクトを引き回して連結することにより、電磁波の距離減衰を利用して電磁シールドルームの電磁波遮蔽性を担保しているものもあった。
【０００７】
【発明が解決しようとする課題】
しかし、前述した従来の電磁シールドルームへの空調ダクト取付け構造において、電磁シールドルーム側の空気吹出口と空気吸込口に設けられている金網又は鉄格子では電磁波を遮蔽するには十分ではなく、この金網又は鉄格子を通過して電磁波が電磁シールドルーム内部に侵入する場合があった。また、長いダクトを使用して電磁波を減衰させる方法は、十分な遮蔽性能を得るためには非常に長いダクトを必要とし、設置スペースが狭い場合には取付けが困難であり、コストの面からも得策ではなかった。また、ダクトそのものの遮蔽性能が要求される等の問題点もあった。
【０００８】
従って、この種の電磁シールドルームに電磁波の遮蔽性を完全に維持しつつ空調装置の連結を図ることは困難であった。そのため、従来の取付け構造によって電磁シールドルームに空調装置からの空調ダクトを連結した場合には、電磁シールドルーム内部で行われる測定作業の精度等が低下せざるを得ないという問題点があった。
【０００９】
他方、電磁シールドルームにおける電磁波の遮蔽性を重視し、電磁シールドルームに適切な空調装置を全く設けない場合、或いは不十分な空調装置を設けた場合には、その電磁シールドルーム内部の空調が不十分となるため、快適に作業を行うことができないという問題点があった。これらの問題点は、電磁シールドルームに要求される電磁波の遮蔽性が高いほど顕著となるものである。
【００１０】
本発明の目的は、かかる従来の問題点を解決するためになされたものであり、電磁シールドルームに施された電磁シールドの電磁波遮蔽性を損なうことなく且つ電磁シールドルーム内部の空調を適切に行うことのできる電磁シールドルームへの空調ダクト取付け構造を提供することにある。
【００１１】
【課題を解決するための手段】
本発明は電磁シールドルームへの空調ダクト取付け構造であり、前述した技術的課題を解決するために以下のように構成されている。すなわち、本発明は、周囲を導体で覆うことにより電磁シールドが施された電磁シールドルームへの空調ダクト取付け構造であって、前記電磁シールドルームとその外部に設置された空気調和装置との間に空気の導通路となる複数の空調ダクトを取り付けて連通させ、複数の前記空調ダクトが導体で、長さ１．５ｍ以上、直径１０ｃｍ以下に形成されると共に、各空調ダクトは、５０ｃｍ以上の取り付け間隔で配列されていることを特徴とする。以下、この発明の構成要素を具体的に説明する。
【００１２】
（空調ダクト）
複数の空調ダクトは、電磁シールドルームの内部と空調装置との間における空気の導通路となるものである。従って、各空調ダクトの一端は、空調装置の吹出口と吸込口とに接続される。その際、複数の空調ダクトの一端を、空調装置の吹出口と吸込口とにチャンバ等を介して連結することもできる。
【００１３】
空調ダクトは、空調装置から電磁シールドルーム内に調和空気を供給するためのものと、電磁シールドルーム内の空気を空調装置へ戻すためのものとがあり、従って少なくとも２つ設けることが必要である。もっとも、それ以上の数の空調ダクトは、電磁シールドルーム内部の空調を適切に行うのに必要な本数であれば幾つ設けてもよい。
【００１４】
このような複数の空調ダクトは、導体で形成されると共に所定の間隔で配列されている。この空調ダクトの寸法は、直径１０ｃｍ以下の円形断面とし、この間隔は、５０ｃｍ以上であることが望ましい。この間隔を確保することにより、空調ダクト同士の近接による電磁波の内部侵入を防止することができる。また、複数の空調ダクトの配列は、一直線状であっても或いは千鳥状であってもよい。
【００１５】
また、各空調ダクトの長さは、その長さがダクトの直径の三倍以上あれば、直径に特有の周波数以下の電磁波がダクトを通過できないという性質を利用して決定する。例えば、空調ダクトの直径が１０ｃｍである場合には、空調ダクトの長さは３０ｃｍ以上あれば良い。もっとも、前記した性質は、空調ダクトが一本の場合を想定したものであり、空調ダクトが複数本の場合には、その長さをより長くする必要がある。実験における測定結果によれば、空調ダクトを複数本設ける場合には、各空調ダクトの長さは、最低でも１．５ｍ以上であることが望ましい。
【００１６】
空調ダクトと電磁シールドルームの周囲を覆っている導体とは、空気吹出口、及び空気吸込口において、互いに接する部分全体を溶接或いは鑞付け等により、電気的に完全な接続状態にされることが必要である。
【００１７】
さらに、この空調ダクトを構成する導体としては、溶接または鑞付けが可能な金属であれば良い。例としては炭素鋼等が適している。本発明の電磁シールドルームへの空調ダクト取付け構造によると、周囲を導体で覆うことにより電磁シールドを施した電磁シールドルームとその外部に設置された空調装置とが、所定の直径及び長さを有し所定の間隔で配列された複数の空調ダクトで連結されていることから、電磁シールドルーム外部からの電磁波が有効に遮蔽される。また、電磁シールドルーム内部で発生させた電磁波が室外へ漏洩することも有効に防止される。
【００１８】
【発明の実施の形態】
以下、本発明の電磁シールドルームへの空調ダクト取付け構造を図に示される実施の形態について更に詳細に説明する。図１は本発明の一実施形態に係る電磁シールドルームへの空調ダクト取付け構造１０を示す斜視図であり、また図２は図１に示される電磁シールドルームへの空調ダクト取付け構造１０の断面図である。
【００１９】
この実施形態における電磁シールドルームへの空調ダクト取付け構造１０は、電磁シールドルーム１５とその外部に設置された空調装置１１との間に鋼管により形成された複数の空調ダクト１４ａ、１４ｂを設けることにより構成されている。実際には、各空調ダクト１４ａ、１４ｂは、その一端が中継ダクト１２ａ、１２ｂ及びチャンバ１３ａ、１３ｂを介して空調装置１１に接続され、またその他端が電磁シールドルーム１５に接続されて構成されている。
【００２０】
電磁シールドルーム１５は、外壁がすべて金属で形成され、これにより周囲に電磁シールドが施されている。このような電磁シールドルーム１５への空調ダクト１４ａ、１４ｂの具体的な取り付け方法を説明すると、電磁シールドルーム１５の側壁の上部と下部とには、図２に示されるように、電磁シールドルーム１５内部へ空調装置１１からの調和空気が吹き出される吹出口と電磁シールドルーム１５内の空気を空調装置１１に戻す吸込口となる開口穴１９ａ、１９ｂが複数設けられている。
【００２１】
この開口穴１９ａ、１９ｂは、空調ダクト１４ａ、１４ｂの他端が取り付けられることを考慮し、水平方向に適宜の取付け間隔をおいて設けられている。もっとも、開口穴１９ａ、１９ｂを設ける位置は、これに限られず、電磁シールドルーム１５に対する所望の空調環境に応じて適宜変更可能である。
【００２２】
空調装置１１それ自体は従来と同じものであり、媒体を圧縮するコンプレッサ、熱交換器及び送風機を主要部として構成されている。この空調装置１１は図２に示されるように空気の吹出口と吸込口となる開口部１７ａ、１７ｂが上面と側面とにそれぞれ設けられている。
【００２３】
チャンバ１３ａ、１３ｂは、図１に示されるように直方体の箱状に形成されており、その幅方向の側面が空調装置１１の開口部１７ａ、１７ｂに中継ダクト１２ａ、１２ｂを介してそれぞれ連結されている。また、各チャンバ１３ａ、１３ｂは、それぞれの長さ方向が水平となるように配置されている。なお、これらのチャンバ１３ａ、１３ｂや中継ダクト１２ａ、１２ｂは、従来存するすべての種類のものを用いることができる。
【００２４】
各空調ダクト１４ａ、１４ｂは、断面円形の炭素鋼製直管を使用し、長さ約１．５ｍ、直径約１０ｃｍのものを用いる。もっとも、空調ダクト１４ａ、１４ｂの長さは約１．５ｍ以上、直径約１０ｃｍ以下であれば適宜変更可能である。
【００２５】
空調ダクト１４ａ、１４ｂは、その一端が各チャンバ１３ａ、１３ｂの長さ方向の側壁から水平方向に延出する状態で複数連結されており、各空調ダクト１４ａ、１４ｂの内部と各チャンバ１３ａ、１３ｂの内部とが連通状態にされている。
【００２６】
各空調ダクト１４ａ、１４ｂの他端は、電磁シールドルーム１５の側壁の開口穴１９ａ、１９ｂに整合させて連結され、連接部位を溶接して固定されている。この連結部位は鑞付けであってもよい。これにより、電磁シールドルーム１５と空調ダクト１４ａ、１４ｂとの連結部位から空気漏れが防止されるとともに、この連結部位からのシールドルーム１５内への電磁波の侵入、及びシールドルーム１５内からの外部への電磁波の漏洩を有効に防止できる。
【００２７】
そして、各空調ダクト１４ａ、１４ｂは、電磁シールドルーム１５とチャンバ１３ａ、１３ｂとの間においてそれぞれ一定の取付け間隔を保持しつつ平行に設けられている。このとき、各空調ダクト１４ａ、１４ｂの他端は、約５０ｃｍの取付け間隔で溶接されている。もっとも、この取付け間隔は約５０ｃｍ以上あれば適宜変更可能である。このように一定の取付け間隔を保たせることにより、電磁シールドルーム１５内部へ各空調ダクト１４ａ、１４ｂを通じて電磁波が侵入することを、また、電磁シールドルーム１５内部から各空調ダクト１４ａ、１４ｂを通じて電磁波が外部へ漏洩することをより有効に防ぐことができる。
【００２８】
なお、各空調ダクト１４ａ、１４ｂは、例えば、長さが３０ｃｍ、直径が１０ｃｍのとき、１．６３ＧＨｚのカットオフ周波数を有し、このカットオフ周波数以下の電磁波をダクト内部に通過させないものである。
【００２９】
このような電磁シールドルームへの空調ダクトの取付け構造１０によると、空調装置１１の熱交換器により加熱又は冷却された空気は、送風機により開口部１７ａから送出され、中継ダクト１２ａの一方を介してチャンバ１３ａへ送られ、各空調ダクト１４ａを通じて各開口穴１９ａから電磁シールドルーム１５内に送られる。
【００３０】
他方、電磁シールドルーム１５内の空気は、開口穴１９ｂから各空調ダクト１４ｂ、チャンバ１３ｂ、中継ダクト１２ｂ、開口部１７ｂを介して空調装置１１に吸入される。
【００３１】
このとき、各空調ダクト１４ａ、１４ｂには、長さ約１．５ｍ、直径約１０ｃｍの炭素鋼製の直管が用いられ、各空調ダクト１４ａ、１４ｂの他端が、それぞれ約５０ｃｍの取付け間隔をおいて電磁シールドルーム１５の側壁外面に溶接されているため、電磁シールドルーム１５の外部における周波数１０ｋＭｚ〜１ＧＨｚの電磁波が、電磁シールドルーム１５又は空調ダクト１４ａ、１４ｂを通過すると、１００ｄＢ以上減衰する。
【００３２】
以上説明した電磁シールドルームへの空調ダクト取付け構造１０によると、従来困難であった電磁シールドルーム１５内の空調を、電磁シールドによる電磁波の遮蔽性を低下させることなく適切に行うことができる。このため、電磁シールドルーム１５内では、そこで行われる作業を快適な環境で行うことが可能となり、作業効率のさらなる向上を図ることができる。
【００３３】
【発明の効果】
以上説明したように、本発明における電磁シールドルームへの空調ダクト取付け構造によれば、電磁シールドルームに施された電磁シールドの電磁波遮蔽性を損なうことなく空調装置からの空調ダクトを接続することができることから、電磁シールドルーム内部の空調を適切に行うことができる。
【図面の簡単な説明】
【図１】本発明の一実施形態に係る電磁シールドルームへの空調ダクト取付け構造を示す斜視図である。
【図２】図１に示される電磁シールドルームへの空調ダクト取付け構造の断面図である。
【符号の説明】
１０  電磁シールドルームへの空調ダクト取付け構造
１１  空気調和装置
１４  空調ダクト
１５  シールドルーム
１７  開口部
１９  開口穴
【図１】
0003778978.tif 000002
【図２】
0003778978.tif 000003